【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
複数の物品（Ａ）を並列して収容可能な収容部（２）を備えたケース（１）と、前記ケース（１）に前記並列方向に沿って形成されたガイド部（４）と、前記ガイド部（４）に前記並列方向に沿って移動自在に設けられたスライダ（１０）と、前記スライダ（１０）を前記並列方向の一端から他端に向かって付勢する弾性部材（６）とを備え、前記収容部（２）内の他端の物品（Ａ）を取り出した際に、前記スライダ（１０）が、前記弾性部材（６）の付勢力によって、残りの物品（Ａ）を押圧して他端側へ送り出す物品陳列装置において、
前記ケース（１）の他端側端面部材（７）に、前記ケース（１）の内外を貫通する開口または切欠きが設けられており、
前記ケース（１）は表示部材（４１）を備え、その表示部材（４１）は前記収容部（２）に設けた支持軸周りに揺動自在に前記ケース（１）に支持されており、前記表示部材（４１）は、前記スライダ（１０）が前記並列方向所定の位置よりも一端側に位置する場合は前記ケース（１）の他端側端面部材（７）の前記開口または前記切欠きから離れた位置にあり、前記スライダ（１０）が他端側へ移動して前記並列方向所定の位置に達すると、前記表示部材（４１）は前記支持軸周りの揺動により、前記ケース（１）の他端側端面部材（７）の前記開口または前記切欠きに接近して、前記ケース（１）の外側から視認可能となることを特徴とする物品陳列装置。
【請求項２】
前記ケース（１）は、前記収容部（２）の底部を形成する底板部材（５）を備え、前記物品（Ａ）は前記底板部材（５）の上方に収容可能であり、上下方向の前記支持軸が前記底板部材（５）に設けられている請求項１に記載の物品陳列装置。
【請求項３】
前記表示部材（４１）は前記底板部材（５）の下方に設けられている請求項２に記載の物品陳列装置。
【請求項４】
前記ガイド部（４）は、前記底板部材（５）に形成された長手状のスリット（３４）であり、前記スライダ（１０）は、前記物品（Ａ）に当接する物品押圧部（１１）と、その物品押圧部（１１）から下方に伸びて前記スリット（３４）内に入り込む基部（１２）と、前記底板部材（５）の上面（５ａ）に摺接する保持部（１３）とを備え、前記基部（１２）は、前記スリット（３４）の下方でそのスリット（３４）の幅方向の縁（３４ａ）よりも外側に突出する張出部（１２ａ）を有し、前記張出部（１２ａ）は前記底板部材（５）の下面（５ｂ）に摺接する請求項２または３に記載の物品陳列装置。
【請求項５】
前記スライダ（１０）が他端側へ移動して前記並列方向所定の位置に達すると、前記スライダ（１０）の前記基部（１２）に設けられた作用部（１４）が前記表示部材（４１）を前記支持軸周りに一定角度揺動させることにより前記表示部材（４１）が前記他端側端面部材（７）の前記開口または前記切欠きに接近して前記ケース（１）の外側から視認可能となる請求項４に記載の物品陳列装置。
【請求項６】
前記弾性部材（６）の付勢力に抗して前記スライダ（１０）を他端から一端に移動させると、前記表示部材（４１）は、前記他端側端面部材（７）の前記開口または前記切欠きから離脱する請求項１乃至５のいずれか一つに記載の物品陳列装置。
【請求項７】
前記表示部材（４１）の全体が着色されている請求項１乃至６のいずれか一つに記載の物品陳列装置。
【請求項８】
前記表示部材（４１）が赤色の素材で形成されている請求項７に記載の物品陳列装置。
【請求項９】
前記収容部（２）の底面に、前記並列方向に沿って伸びる案内突条（３１）を備え、前記物品（Ａ）の送り出しの際に、前記物品（Ａ）は前記案内突条（３１）に摺接することを特徴とする請求項１乃至８のいずれか一つに記載の物品陳列装置。
【請求項１０】
前記案内突条（３１）は、前記収容部（２）内の最も他端側に位置する前記物品（Ａ）に対し、その最も他端側に位置する前記物品（Ａ）よりも一端側に位置する前記物品（Ａ）に対する当接位置よりも上方で当接する隆起部（３１ａ）を備えることを特徴とする請求項９に記載の物品陳列装置。
【請求項１１】
前記スライダ（１０）は、前記案内突条（３１）によって、前記並列方向への移動がガイドされることを特徴とする請求項９又は１０に記載の物品陳列装置。
【請求項１２】
前記ケース（１）は、前記スライダ（１０）が前記弾性部材（６）の付勢力によって他端側に移動するのを規制するストッパ（３２）を、前記収容部（２）の一端側に備えることを特徴とする請求項１乃至１１のいずれか一つに記載の物品陳列装置。
【手続補正２】
【補正対象書類名】明細書
【補正対象項目名】００１３
【補正方法】変更
【補正の内容】
【００１３】
上記の第二の課題を解決するために、この発明は、複数の物品を並列して収容可能な収容部を備えたケースと、前記ケースに前記並列方向に沿って形成されたガイド部と、前記ガイド部に前記並列方向に沿って移動自在に設けられたスライダと、前記スライダを前記並列方向の一端から他端に向かって付勢する弾性部材とを備え、前記収容部内の他端の物品を取り出した際に、前記スライダが、前記弾性部材の付勢力によって、残りの物品を押圧して他端側へ送り出す物品陳列装置において、前記ケース（１）の他端側端面部材（７）に、前記ケース（１）の内外を貫通する開口または切欠きが設けられており、前記ケース（１）は表示部材（４１）を備え、その表示部材（４１）は前記収容部（２）に設けた支持軸周りに揺動自在に前記ケース（１）に支持されており、前記表示部材（４１）は、前記スライダ（１０）が前記並列方向所定の位置よりも一端側に位置する場合は前記ケース（１）の他端側端面部材（７）の前記開口または前記切欠きから離れた位置にあり、前記スライダ（１０）が他端側へ移動して前記並列方向所定の位置に達すると、前記表示部材（４１）は前記支持軸周りの揺動により、前記ケース（１）の他端側端面部材（７）の前記開口または前記切欠きに接近して、前記ケース（１）の外側から視認可能となることを特徴とする物品陳列装置を採用した。
【手続補正３】
【補正対象書類名】明細書
【補正対象項目名】００１４
【補正方法】変更
【補正の内容】
【００１４】
この構成によれば、スライダが所定の位置に達した際に、ケースの外側から表示部材が視認できるようになるので、その視認によって、物品の残数が少なくなっていることを視覚的に確認できる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】変更
【補正の内容】
【００３１】
なお、スライダが所定の位置に達した際に、表示部材がケースの他端側端面部材に接近してケースの外側から視認可能となるのであり、スライダが所定の位置に達する前の状態において、表示部材の位置は、前記接近状態よりも相対的に一端側の位置にある。この一端側の位置にある時、表示部材がケースの外側からある程度見えていることを排除するものではないが、少なくとも、その表示部材のケースの他端側端面部材の開口または切欠きに対する接近、離反により、表示部材が、相対的に、他端側端面部材の開口または切欠きに接近した時の方が離反した時よりも視認しやすいものであれば、その表示部材が前記接近状態にあると認識できるので、その認識によって、物品の残数が少なくなっていることを視覚的に確認できる。
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００９５
【補正方法】変更
【補正の内容】
【００９５】
スライダ１０が、物品Ａの並列方向所定の位置よりも一端側に位置する場合は、表示部材４１の警告部４１ｂは、ケース１の他端側端面部材７から離れた位置にあり、ケース１の外側から視認できないか、あるいは、明確に視認できない状態にある。
スライダ１０が他端側へ移動して、そのスライダ１０が、物品Ａの並列方向所定の位置に達すると、表示部材４１の警告部４１ｂは、ケース１の他端側端面部材７に接近して、ケース１の外側から明確に視認可能な状態となる構成が考えられる。
本発明の上記一および他の実施形態は、次の技術思想を包含する。
（ｉ）複数の物品（Ａ）を並列して収容可能な収容部（２）を備えたケース（１）と、前記ケース（１）に前記並列方向に沿って形成されたガイド部（４）と、前記ガイド部（４）に前記並列方向に沿って移動自在に設けられたスライダ（１０）と、前記スライダ（１０）を前記並列方向の一端から他端に向かって付勢する弾性部材（６）とを備え、前記収容部（２）内の他端の物品（Ａ）を取り出した際に、前記スライダ（１０）が、前記弾性部材（６）の付勢力によって、残りの物品（Ａ）を押圧して他端側へ送り出す物品陳列装置において、前記ケース（１）は幅規制手段（２０）を備え、その幅規制手段（２０）は、前記収容部（２）内で前記並列方向に交差する方向へ移動することによりその収容部（２）の前記並列方向に交差する方向への幅を調整可能であることを特徴とする物品陳列装置。
（ｉｉ）前記幅規制手段（２０）は、前記並列方向に交差する方向に対して、前記物品（Ａ）を挟んで両側に設けられることを特徴とする上記（ｉ）に記載の物品陳列装置。
（ｉｉｉ）前記幅規制手段（２０）は、前記並列方向に連続する複数の前記物品（Ａ）を、前記並列方向に交差する方向へ同時に押圧することを特徴とする上記（ｉ）又は（ｉｉ）に記載の物品陳列装置。
（ｉｖ）前記幅規制手段（２０）は、弾性部材（２２ｅ）によって前記収容部（２）の内側へ向かって付勢されていることを特徴とする上記（ｉ）乃至（ｉｉｉ）のいずれか一つに記載の物品陳列装置。
（ｖ）前記幅規制手段（２０）は、前記並列方向に連続する当接部（２１）を有し、その当接部（２１）は、前記物品（Ａ）に対し前記並列方向に沿って線接触することを特徴とする上記（ｉ）乃至（ｉｖ）のいずれか一つに記載の物品陳列装置。
（ｖｉ）前記当接部（２１）は、前記収容部（２）内の最も他端側に位置する前記物品（Ａ）の一端側に隣接する前記物品（Ａ）に対し、その最も他端側に位置する前記物品（Ａ）に対する当接位置よりも内側で当接する押圧突部（２１ａ）を備えることを特徴とする上記（ｖ）に記載の物品陳列装置。
（ｖｉｉ）前記幅規制手段（２０）は、その下端に前記収容部（２）への接続部（２２）を有し、その接続部（２２）が前記収容部（２）に設けた支持部（２３）に揺動自在に支持され、その揺動により、前記当接部（２１）が前記物品（Ａ）に当接及び離反する方向へ移動することを特徴とする上記（ｖ）又は（ｖｉ）に記載の物品陳列装置。
（ｖｉｉｉ）前記収容部（２）の底面に、前記並列方向に沿って伸びる案内突条（３１）を備え、前記物品（Ａ）の送り出しの際に、前記物品（Ａ）は前記案内突条（３１）に摺接することを特徴とする上記（ｉ）乃至（ｖｉｉ）のいずれか一つに記載の物品陳列装置。
（ｉｘ）前記案内突条（３１）は、前記収容部（２）内の最も他端側に位置する前記物品（Ａ）に対し、その最も他端側に位置する前記物品（Ａ）よりも一端側に位置する前記物品（Ａ）に対する当接位置よりも上方で当接する隆起部（３１ａ）を備えることを特徴とする上記（ｖｉｉｉ）に記載の物品陳列装置。
（ｘ）前記スライダ（１０）は、前記案内突条（３１）によって、前記並列方向への移動がガイドされることを特徴とする上記（ｖｉｉｉ）又は（ｉｘ）に記載の物品陳列装置。
（ｘｉ）前記ケース（１）は、前記スライダ（１０）が前記弾性部材（６）の付勢力によって他端側に移動するのを規制するストッパ（３２）を、前記収容部（２）の一端側に備えることを特徴とする上記（ｉ）乃至（ｘ）のいずれか一つに記載の物品陳列装置。
（ｘｉｉ）複数の物品（Ａ）を並列して収容可能な収容部（２）を備えたケース（１）と、前記ケース（１）に前記並列方向に沿って形成されたガイド部（４）と、前記ガイド部（４）に前記並列方向に沿って移動自在に設けられたスライダ（１０）と、前記スライダ（１０）を前記並列方向の一端から他端に向かって付勢する弾性部材（６）とを備え、前記収容部（２）内の他端の物品（Ａ）を取り出した際に、前記スライダ（１０）が、前記弾性部材（６）の付勢力によって、残りの物品（Ａ）を押圧して他端側へ送り出す物品陳列装置において、前記ケース（１）は、前記収容部（２）の他端に表示部材（４１）を備え、その表示部材（４１）は前記並列方向に沿って移動可能、又は、前記収容部（２）に設けた支持軸周りに揺動自在に前記ケース（１）に支持されており、前記表示部材（４１）は、前記スライダ（１０）が前記並列方向所定の位置よりも一端側に位置する場合は前記ケース（１）の他端側端面部材（７）から離れた位置にあり、前記スライダ（１０）が他端側へ移動して前記並列方向所定の位置に達すると、前記並列方向への移動又は前記支持軸周りの揺動により、前記ケース（１）の他端側端面部材（７）に接近して、前記ケース（１）の外側から視認可能となることを特徴とする物品陳列装置。
（ｘｉｉｉ）前記収容部（２）の前記並列方向所定の位置に、前記スライダ（１０）の基部（１２）に設けた作用部（１４）が当接する検知部材（４２）を設け、前記検知部材（４２）と前記表示部材（４１）とはリンク機構（４３）によって接続されており、前記表示部材（４１）の前記並列方向への移動又は前記支持軸周りの揺動は、前記スライダ（１０）の作用部（１４）が前記検知部材（４２）を他端側へ押圧することにより前記リンク機構（４３）を介して行うことを特徴とする上記（ｘｉｉ）に記載の物品陳列装置。
（ｘｉｖ）複数の物品（Ａ）を並列して収容可能な収容部（２）を備えたケース（１）と、前記ケース（１）に前記並列方向に沿って形成されたガイド部（４）と、前記ガイド部（４）に前記並列方向に沿って移動自在に設けられたスライダ（１０）と、前記スライダ（１０）を前記並列方向の一端から他端に向かって付勢する弾性部材（６）とを備え、前記収容部（２）内の他端の物品（Ａ）を取り出した際に、前記スライダ（１０）が、前記弾性部材（６）の付勢力によって、残りの物品（Ａ）を押圧して他端側へ送り出す物品陳列装置において、前記ガイド部（４）は、前記収容部（２）の底部を形成する底板部材（５）に形成された長手状のスリット（３４）であり、前記スライダ（１０）は、前記物品（Ａ）に当接する物品押圧部（１１）と、その物品押圧部（１１）から下方に伸びて前記スリット（３４）内に入り込む基部（１２）と、前記底板部材（５）の上面（５ａ）に摺接する保持部（１３）とを備え、前記基部（１２）は、前記スリット（３４）の下方でそのスリット（３４）の幅方向の縁（３４ａ）よりも外側に突出する張出部（１２ａ）を有し、前記張出部（１２ａ）は前記底板部材（５）の下面（５ｂ）に摺接し、前記保持部（１３）及び前記張出部（１２ａ）は、前記スライダ（１０）が前記弾性部材（６）の付勢力によって前記物品（Ａ）を押圧する際に、前記スライダ（１０）が前記弾性部材（６）の付勢力を受けない場合よりも、前記物品押圧部（１１）の上端が他端側へ傾斜することを許容する形状となっていることを特徴とする物品陳列装置。